(57)【要約】  本発明は、トランスデューサハウジング、及びトランスデューサハウジング２０を開閉するためのツールに関する。トランスデューサハウジングは、回転継手２６を用いて解放可能に結合されるベース本体２２及び蓋２４を有する。蓋２４は、ベース本体２２に対する蓋２４の回転に応じてトランスデューサハウジング２０を開けるか又は閉じるために、ツール１０の駆動ピン６４により係合されるよう形成される接触領域４２を有する。ツール１０は、接続可能である基底部１２及び上部１４を有する。上部は、基底部に対して回転されることができる。基底部１２に対する上部１４の回転運動に応じて、上部１４の駆動ピン６４が、蓋２４の接触領域４２と係合し、トランスデューサハウジング２０の蓋２４が、トランスデューサハウジング２０のベース本体２２に対する移動をもたらし、トランスデューサハウジングの開閉を生じさせるよう、結合されるとき、上部及び基底部はトランスデューサハウジングを囲むことができる。
2015532139.tif 000002
【特許請求の範囲】
【請求項１】
回転継手を介して互いに接続可能であるベース本体及び蓋を持つトランスデューサハウジングを開閉するためのツールであって、
前記トランスデューサハウジングを受けるボウルを形成する基底部であって、前記ツールの軸方向周りで前記ツールの基底部に対する前記トランスデューサハウジングの前記ベース本体の回転を防止する、基底部と、
前記基底部と接続可能な上部であって、前記上部及び前記基底部が互いに結合されるとき、前記軸方向に対して垂直な半径方向において前記基底部に対する前記上部の運動が機械的に防止される、上部とを有し、
前記基底部が、第１の係合部材を有し、前記上部は、前記上部及び前記基底部が互いに結合されるとき、前記第１の係合部材と係合する第２の係合部材を有し、
前記上部が更に、前記軸方向周りで前記基底部に対して前記上部が回転運動するとき、前記回転継手を開けるか又は閉じるため、前記トランスデューサハウジングの前記蓋が前記トランスデューサハウジングの前記ベース本体に対して移動することをもたらすよう、前記トランスデューサハウジングの前記蓋の対応する接触領域に接触する駆動領域を持つ駆動ピンを有し、
前記第１の係合部材と前記第２の係合部材との係合が、前記駆動ピンの前記駆動領域と前記トランスデューサハウジングの前記蓋の前記接触領域との間の接触の間、前記軸方向に沿って前記基底部に対する前記上部の運動を防止する、ツール。
【請求項２】
前記基底部が、内壁を有し、前記上部及び前記基底部が互いに結合されるとき、前記上部は、前記基底部の前記内壁に面する外壁を有する、請求項１に記載のツール。
【請求項３】
前記半径方向において前記基底部に対する前記上部の運動を防止するため、前記上部及び前記基底部が互いに結合されるとき、前記基底部の前記内壁の少なくとも一部が、前記上部の前記外壁の少なくとも一部にフィットする形状を形成する、請求項２に記載のツール。
【請求項４】
前記軸方向周りでの前記ツールの前記基底部に対する前記トランスデューサハウジングの前記ベース本体の回転が、前記ツールの前記基底部の前記内壁及び前記トランスデューサハウジングの外面の間でフィットする形状を通して防止される、請求項２に記載のツール。
【請求項５】
前記基底部の前記内壁が、円筒状にカーブする表面領域を持ち、前記内壁の部分は、前記円筒状形状から逸脱し、プラナ接触面を有し、前記プラナ接触面が、前記トランスデューサハウジングの対応する接触面と接触し、前記軸方向周りで前記ツールの前記基底部に対する前記トランスデューサハウジングの前記ベース本体の回転を防止する、請求項２に記載のツール。
【請求項６】
前記第２の係合部材が、前記上部におけるリセスであり、前記第１の係合部材は、前記上部及び前記基底部が互いに結合されるとき、前記リセスと係合するガイドピンである、請求項１に記載のツール。
【請求項７】
前記リセスが、挿入部及び隣接するロッキング部を有し、前記挿入部は、前記ロッキング部より大きく、前記ガイドピンが、前記挿入部に挿入されることができ、前記ガイドピンは、軸方向において前記ガイドピンを固定するため、前記軸方向周りで前記基底部に対して前記上部が回転運動するとき、前記ロッキング部に誘導されることができる、請求項６に記載のツール。
【請求項８】
前記軸方向周りでの前記基底部に対する前記上部の回転運動の間、前記駆動ピンの前記駆動領域が、前記トランスデューサハウジングの前記蓋の前記接触領域と接触する前に、前記基底部の前記ガイドピンが前記ロッキング部に到達するよう、前記駆動ピンに対する前記リセスの前記ロッキング部の構成が選ばれる、請求項７に記載のツール。
【請求項９】
前記基底部が、第３の係合部材を有し、前記上部は、前記上部及び前記基底部が互いに結合されるとき、前記第３の係合部材と係合する第４の係合部材を有する、請求項１に記載のツール。
【請求項１０】
前記第３の係合部材が、前記第１の係合部材より小さく、前記第４の係合部材は、前記第２の係合部材より小さく、前記第４の係合部材が、前記第３の係合部材とだけ係合し、前記第２の係合部材は、前記第１の係合部材とだけ係合することができる、請求項９に記載のツール。
【請求項１１】
前記駆動ピンの前記駆動領域が、凹形状を持つ、請求項１に記載のツール。
【請求項１２】
前記駆動ピンの前記駆動領域が、前記軸方向周りでの前記基底部に対する前記上部の前記回転運動の間、前記接触領域と接触するとき、前記トランスデューサハウジングの前記蓋の前記接触領域にフィットする形状を確立するよう構成される、請求項１に記載のツール。
【請求項１３】
前記上部が、前記軸方向周りで前記基底部に対して前記上部が回転運動するとき、前記トランスデューサハウジングの前記回転継手を開けるための第１の駆動領域を持つ第１の駆動ピンと、前記軸方向周りで前記基底部に対して前記上部が反対方向に回転運動するとき、前記トランスデューサハウジングの前記回転継手を閉じるための第２の駆動領域を持つ第２の駆動ピンとを有する、請求項１に記載のツール。
【請求項１４】
前記第１の駆動ピン及び前記第２の駆動ピンが、前記上部の対向側に構成され、前記第１の駆動領域及び前記第２の駆動領域が反対方向において面する、請求項１３に記載のツール。
【請求項１５】
請求項１乃至１４のいずれかに記載のツールと、
回転継手を介して互いに接続可能であるベース本体及び蓋を持つトランスデューサハウジングとを有し、前記蓋が、前記トランスデューサハウジングを開けるか又は閉じるために前記ツールの駆動ピンにより接触されるよう構成される接触領域を有する、キット。
【請求項１６】
トランスデューサハウジングであって、
ベース本体と、
蓋とを有し、
前記ベース本体及び前記蓋が、回転継手を介して互いに接続可能であり、
前記蓋は、軸方向周りで前記ベース本体に対して前記蓋が回転するとき、前記トランスデューサハウジングを開けるか又は閉じるためにツールの駆動ピンにより接触されるよう構成される接触領域を有し、
前記ベース本体が、前記軸方向周りで前記ツールの前記基底部に対する前記ベース本体の回転を防止するよう前記ツールの基底部に適合される形状を持つ、トランスデューサハウジング。
【請求項１７】
前記回転継手が、着脱可能な差し込みピンマウントである、請求項１６に記載のトランスデューサハウジング。
【発明の詳細な説明】
【技術分野】
【０００１】
本発明は、トランスデューサハウジング、特に胎児モニタリングトランスデューサのハウジングを開閉するためのツールに関する。更に、本発明は、斯かるツール及び斯かるトランスデューサハウジングを有するキットに関する。
【背景技術】
【０００２】
過去の数十年において、多くの調査が、胎児モニタリングトランスデューサ及びデバイスに向けられてきた。これらのデバイスは、妊娠及び出生の間、児心音及び子宮収縮を記録するか、又は子宮における胎児の画像を作成するために用いられる。後者に関して、産科的超音波検査法が通常実行される。そこでは、超音波検査は、その母の子宮における胚又は胎児を視覚化するために用いられる。この手順は、出生前の看護の標準的な部分である。なぜなら、それが、母及び胎児の健康に関する様々な情報、妊娠の経過、並びに出生の前と間の乳児に関する更なる情報を提供するからである。
【０００３】
妊娠及び出生の間、子宮収縮を記録するために、わずかに異なる機械が使用される。斯かるモニタリングを実行するのに用いられる機械は、分娩監視装置と呼ばれる。より一般には、電子胎児監視装置（ＥＦＭ）として知られる。
【０００４】
上述した両方の胎児の監視デバイスにおいて、１つ若しくは複数の超音波トランスデューサ又は他の超音波ベースのセンサが、使用される。これらの超音波トランスデューサ及び他の電子周辺デバイスは、液体気密なハウジングにカプセル化されることを必要とする。胎児モニタリング装置の測定トランスデューサ及び周辺デバイスに関してカプセル化されたボリュームを提供するため、通常２つのハーフシェルが用いられる。
【発明の概要】
【発明が解決しようとする課題】
【０００５】
一般に現れる１つの問題は、トランスデューサ及び周辺デバイスの有用性である。使用後、トランスデューサハウジングは、洗浄及び消毒されなければならない。他方、トランスデューサハウジングは絶対に液体気密であることを必要とする。なぜなら、出生の間に使用される場合、ハウジングは通常、多くの血液及び粘液で汚染されるからである。従って、ほとんどの場合、トランスデューサハウジングの２つのハーフシェルは、接着されるか又はネジを使用して互いに接続される。
【０００６】
トランスデューサハウジングの２つのハーフシェルが接着される場合、これは、トランスデューサハウジングの有用性に主要な（負の）インパクトを与える。２つの収容部分が接着される場合、ハウジング内部の任意の部分を修復するか又は交換するためにトランスデューサハウジングを開けるのは難しい。なぜなら、この場合接着剤の結合が解放される必要があるからである。接着剤の結合を解放することは、困難である場合があり、ハウジングの部分を破壊する可能性もある。
【０００７】
ネジを介したトランスデューサハウジングの２つのハーフシェルの接続も、有利でない。第一に、ネジは、トランスデューサハウジングに負の視覚的なインパクトを与え、トランスデューサハウジングの設計に負の影響を与える。更に、ネジの金属部品は、無線トランスデューサの電波システムに負の影響を与える可能性がある。更になお、ネジは、トランスデューサハウジング内の空間を占有する。それとは別に、接続部分としてネジを使用するとき、すきま及び鋭いエッジが発生するかもしれない。これは、不必要な損傷を患者にもたらす可能性がある。別の負の効果は、超音波トランスデューサ又はこれに接続される周辺デバイスを修理又は洗浄するため、医師自身がトランスデューサハウジングを開けようとする可能性がある点にある。しかしながら、斯かるセルフ修理は、いかなる場合でも防止されるべきである。
【０００８】
医療デバイスは、特別な開口ツールを所有している許可された人を除き、任意の未許可の人によって開けられることができないと規定する強い規則が、医学分野には存在する。
【０００９】
従って、本発明の目的は、胎児モニタリングトランスデューサハウジングに関して消毒しやすく使いやすいネジのない接続システムを提供することである。更に、本発明の目的は、トランスデューサハウジングを開閉するのに用いられることができる唯一のツールシステムとして機能する、胎児監視デバイスのトランスデューサハウジングを開閉するためのツールを提供することである。ツールの使用は、直観的であるべきで、過度のエネルギーを必要とするべきではない。
【課題を解決するための手段】
【００１０】
本発明の第１の態様において、２つの収容部分、即ちベース本体及び蓋を持つトランスデューサハウジングを開閉するためのツールが提供される。この２つの収容部分は、回転継手を介して互いに接続可能である。このツールは、
上記トランスデューサハウジングを受けるボウルを形成する基底部であって、上記ツールの軸方向周りで上記ツールの基底部に対する上記トランスデューサハウジングの上記ベース本体の回転を防止する、基底部と、
上記基底部と接続可能な上部であって、上記上部及び上記基底部が互いに結合されるとき、上記軸方向に対して垂直な半径方向において上記基底部に対する上記上部の運動が機械的に防止される、上部とを有し、
上記基底部が、第１の係合部材を有し、上記上部は、上記上部及び上記基底部が互いに結合されるとき、上記第１の係合部材と係合する第２の係合部材を有し、
上記上部が、上記軸方向周りで上記基底部に対して上記上部が回転運動するとき、上記回転継手を開けるか又は閉じるため、上記トランスデューサハウジングの上記蓋が上記トランスデューサハウジングの上記ベース本体に対して移動することをもたらすよう、上記トランスデューサハウジングの上記蓋の対応する接触領域に接触する駆動領域を持つ駆動ピンを更に有し、
上記第１の係合部材と上記第２の係合部材との係合が、上記駆動ピンの上記駆動領域と上記トランスデューサハウジングの上記蓋の上記接触領域との間の接触の間、上記軸方向に沿って上記基底部に対する上記上部の運動を防止する。
【００１１】
本発明の更なる態様において、キットが、与えられ、このキットは、
請求項１乃至１４のいずれかに記載のツールと、
液体気密なハウジングを形成するため、回転継手を介して互いに接続可能であるベース本体及び蓋を持つトランスデューサハウジングとを有し、上記蓋が、上記トランスデューサハウジングを開けるか又は閉じるために上記ツールの駆動ピンにより接触されるよう構成される接触領域を有する。
【００１２】
本発明のなお更なる態様において、トランスデューサハウジングが、与えられ、このハウジングは、
ベース本体と、
蓋とを有し、
上記ベース本体及び上記蓋が、回転継手を介して互いに接続可能であり、
上記蓋は、軸方向周りで上記ベース本体に対して上記蓋が回転するとき、上記トランスデューサハウジングを開けるか又は閉じるためにツールの駆動ピンにより接触されるよう構成される接触領域を有し、
上記ベース本体が、上記軸方向周りで上記ツールの上記基底部に対する上記ベース本体の回転を防止するよう上記ツールの基底部に適合される形状を持つ。
【００１３】
本発明の好ましい実施形態は、従属項において規定される。請求項に記載のキット及び請求項に記載のトランスデューサハウジングは、請求項に記載のツール、及び従属項に記載されるツールと、類似する及び／又は同一の好ましい実施形態を持つ点を理解されたい。
【００１４】
本発明の中心となる点の１つは、本書においてベース本体及び蓋と表される２つの収容部分を持つトランスデューサハウジングを供給することである。ベース本体及び蓋は、回転継手を介して互いに結合されることができる。回転継手は好ましくは、トランスデューサハウジングに一体化される。回転継手は、２つの部分が互いに対して回転するとき、蓋及びベース本体を互いに結合することを可能にする任意の継手である。よく知られた例は、ねじ継手又は差し込みピンマウントである。しかしながら、本発明の範囲を出ることなしに、他の回転継手が使用されることもできる。
【００１５】
好ましい実施形態によれば、回転継手は、差し込みピンマウントとして実現される。一体化された差し込みピンマウントは、トランスデューサハウジングの２つのハーフシェル（２つの収容部分）のロック及びリリースを提供する。トランスデューサハウジングの差し込みピンマウントのロック及び／又はリリースを可能にするレバー又は任意の他の要素をトランスデューサハウジングの蓋に一体化する代わりに、本書に記載される開閉ツールを用いてのみ開ける及び／又は閉じることができるよう、トランスデューサハウジングは設計される。意図的でない開動作又は未許可の人によるトランスデューサハウジングの開動作は、従って許されない。本書に記載される特別なツールを所有する人だけが、トランスデューサハウジングを開けることが可能である。病院において、例えば、サービス及び修理部門で働く人々だけが、本書に記載される特別な開閉ツールを持つことができる。その結果、これらの人々だけが（医師自身でなく）、サービス及び修理目的でトランスデューサハウジングを開閉することが可能にされる。
【００１６】
本書に記載されるトランスデューサハウジングの更なる利点は、洗浄が簡単なことである。なぜなら、それは好ましくは任意の鋭いエッジを持たないからである。トランスデューサハウジングの外面のほとんどの部分は、丸い又は凹表面である。従って、損傷のリスクは、最小化される。鋭いエッジがないので、本書に記載されるツールなしにトランスデューサハウジングを開けることは非常に困難であるか又はほぼ不可能である。単に手で開けることはできない。なぜなら、差し込みピンマウントを開けるためハウジングの蓋に十分に大きいトルクを及ぼすよう捕まえられることができるエッジがないからである。
【００１７】
「トランスデューサハウジング」という用語は、トランスデューサを包むのに適した任意のタイプのハウジングを表す点に留意されたい。それは、任意の特定タイプ、形状又はサイズに限定されない。それは、トランスデューサ自体を含む必要はない。
【００１８】
トランスデューサハウジングを開ける及び／又は閉じるため、トランスデューサハウジングの蓋は、ツールの上述した駆動ピンにより接触されることができる接触領域を有する。トランスデューサハウジングの蓋を開ける及び／又は閉じることを可能にする、ツールとトランスデューサハウジングの間でフィットする形状が好ましくは確立される。トランスデューサハウジングが、２つの収容部分（ベース本体及び蓋）に一体化される差し込みピン機構を使用するので、トランスデューサシェルに対する視覚的なインパクトは存在しない。ネジが使用される必要がないので、差し込みピンマウントは、無線トランスデューサの電波システムを妨げる可能性がある金属部品の負の影響も除去する。すきま及び中断された表面がないことも、トランスデューサデバイスを洗浄することを容易にする。（多くの従来の装置において用いられる）接着されたシェルを回避することで、トランスデューサハウジングにおいてカプセル化される内部デバイスの非破壊的で簡単な有用性が可能にされる。トランスデューサハウジングを開閉するための本書に記載される特別なツールの技術的特徴が、以下において更に詳述される。
【００１９】
ツールは好ましくは、２つの別々の部分、即ち基底部及び上部を有する。基底部は、トランスデューサハウジングを受ける一種のボウルを形成する。トランスデューサハウジングがツールの上記基底部に挿入される場合、ツールの軸方向周りでツールの基底部に対するトランスデューサハウジングのベース本体の回転が防止される。この回転防止は、さまざまな方法で実現されることができる。最も単純なケースにおいて、ツールの基底部の内壁とトランスデューサハウジングのベース本体の外壁の少なくとも一部との間でフィットされる形状が実現される。トランスデューサハウジングの外壁は例えば、トランスデューサハウジング及びツールの間のインタフェースでフィットする形状を作成するため、ツールの基底部の内壁と、同じ又は対応する形状を持つことができる。
【００２０】
すでに上述されたように、ツールの２つの部分は好ましくは、互いに接続可能である２つの別々の部分として実現される。ツールの上部は、ツールの基底部に付けられることができる一種の蓋として機能する。上部の部分は、（軸方向に対して垂直な）半径方向における相対的な運動を防止するため、基底部の部分と連動することができる。
【００２１】
ある実施形態によれば、基底部は内壁を有し、上部は、上部及び基底部が互いに結合されるとき基底部の内壁に面する外壁を有する。ツールの基底部の上記内壁の少なくとも一部は、ツールの上部の外壁の少なくとも一部とフィットする形状を形成することができる。この形状フィットは、半径方向において基底部に対する上部の運動を防止することができる。
【００２２】
ツールの２つの部分の間の係合は、２つ又はこれ以上の係合部材により実現されることができる。第１の係合部材は、ツールの基底部に構成され、第２の係合部材は、ツールの上部に構成され、ツールの上部及び基底部が互いに結合されるとき、第１の係合部材と係合する。少なくとも２つの係合部材の間のこの係合は、軸方向周りでの基底部に対する上部の回転運動を可能にする機械的なガイダンスとして機能する。ユーザはこうして、ツールの基底部に対して上部を付けることができ、軸方向周りで基底部に対して手で上部を回転させることができる。ユーザは、例えば、１つの手で基底部を保持し、他の手で、ツールの上部を基底部に対して軸方向周りで、時計回りに、又は、反時計回りに回す。
【００２３】
ツールの更なる重要な部分は、ツールの上部に構成される駆動ピンである。軸方向周りでツールの上部を回転させるとき、この駆動ピンは同様に回転する。それは、トランスデューサハウジングの蓋の対応する接触領域と接触する駆動領域を有する。こうして、ツールの上部がツールの基底部に対して軸方向周りで回転されるとき、駆動ピンは、トランスデューサハウジングの蓋に力を及ぼす。この力は、ユーザが基底部に対して上部を回転させるとすぐに、トランスデューサハウジングの蓋が、ツールの上部と同期的に回転することをもたらす。ツールの上部は従って、トランスデューサハウジングの蓋を押すことを可能にする一種の機械的なレバーとして機能する。
【００２４】
（ユーザの手運動により生じる）軸方向周りでのツールの上部の上記回転運動の間、駆動ピンは、トランスデューサハウジングの蓋と接触し、差し込みピンマウントを開ける又は閉じるために、それが、トランスデューサハウジングのベース本体に対して移動することをもたらす。ツールの基底部とトランスデューサハウジングのベース本体との間でフィットする形状が、ツールにおけるトランスデューサハウジングのベース本体の回転を防止するので、トランスデューサハウジングの蓋だけが、（ツールの上部と共に）回転される。これにより、トランスデューサハウジングのベース本体は、静止している。ツールの上部の時計回りの回転は例えば、差し込みピンマウントが開くことをもたらし、一方ツールの上部の反時計回りの回転は、差し込みピンマウントが閉じることをもたらす。
【００２５】
この開及び／又は閉手順の間、ツールの駆動ピンが、トランスデューサハウジングの蓋にわたりだけすべらないことが確実にされなければならない。なぜなら、そうでなければ、それを開ける及び／又は閉じるために、この力がツールからトランスデューサハウジングの蓋まで正しく伝わらないからである。これは、本発明によれば、ツールの第１の係合部材と第２の係合部材との係合が、軸方向に沿ったツールの上部の運動を防止しつつ、駆動ピンが、トランスデューサハウジングの蓋と接触するという点で解決される。駆動ピンは従って、軸方向においてトランスデューサハウジングの蓋へ押圧される。
【００２６】
更なる実施形態によれば、軸方向周りでのツールの基底部に対するトランスデューサハウジングのベース本体の運動は、以下のように防止される。基底部の内壁は、円筒状にカーブする表面領域を持つことができる。そこでは、上記内壁の部分が、円筒状形状から逸脱し、トランスデューサハウジングの対応する接触面と接触するプラナ接触面を有する。ツールのこれらの２つの接触面とトランスデューサハウジングのベース本体との間の相互作用は、軸方向周りでのツールの基底部に対するトランスデューサハウジングのベース本体の回転を防止する。ツールの基底部の内壁のプラナ接触面は、ツールの円周方向に垂直であるよう構成されることができる。円周方向はこの場合、ツールの半径方向に対して垂直なだけでなく、軸方向に対して垂直である方向を表す。
【００２７】
しかしながら、ツールの基底部に対するトランスデューサハウジングのベース本体の回転は、他の多くの技術的な態様において防止されることもできる。ツールの基底部の内壁だけでなくトランスデューサハウジングのベース本体の外壁は共に例えば、対応する八角形の形状を持つことができる。その結果、トランスデューサハウジングがツールにおいて回転移動するのを防止する形状フィットが中間的な上記２つの壁の間で確立される。
【００２８】
以下において、ツールの上部及び基底部の間の係合が、詳述される。本発明のある実施形態によれば、第２の係合部材は、ツールの上部におけるリセスとして実現され、第１の係合部材は、ツールの上部及び基底部が互いに結合されるとき、上記リセスと係合するガイドピンとして実現される。上記リセスは好ましくは、挿入部及び隣接するロッキング部を有する。この場合、挿入部は、ロッキング部より大きい。ガイドピンは、挿入部に挿入されることができ、軸方向周りで基底部に対して上部が回転運動するとき、ロッキング部に誘導されることができる。ガイドピンが十分なクリアランスを持ちリセスに挿入されることができるよう、上部におけるリセスの挿入部分は、十分に大きくなければならない。ツールの基底部に対してツールの上部を回転させることにより、基底部のガイドピンは、隣接するロッキング部にもたらされる。このロッキング部は、挿入部とは対照的に、ガイドピンとリセスのロッキング部との間のクリアランスがこれ以上ないよう、十分に小さくなければならない。こうして、ガイドピンは、リセスのロッキング部において固定されることができる。その結果、ツールの基底部に対する上部の運動は、軸方向において機械的に防止される。
【００２９】
上部の回転運動の間、駆動ピンの駆動領域がトランスデューサハウジングの蓋の接触領域に接触する前に、基底部のガイドピンがロッキング部に到達するよう、駆動ピンに対するツールの上部におけるリセスのロッキング部の構成が選択される。これは、駆動ピンがトランスデューサハウジングの蓋と接触し、トランスデューサハウジングを開ける及び／又は閉じるためにその上に力を及ぼす前に、ツールの上部が、ツールの基底部において最初に固定されることを保証する。ガイドピン及び（ロッキング部における）リセスの間の係合は従って、円周方向においてそれを押すことなしに、駆動ピンがトランスデューサハウジングの蓋にわたりすべらないことを保証する。
【００３０】
本発明の更なる実施形態によれば、基底部は第３の係合部材を有し、上部及び基底部が互いに結合されるとき第３の係合部材と係合する第４の係合部材を上部が有する。第１の係合部材と同様に、第３の係合部材は、一種のガイドピンとして実現されることができ、第４の係合部材は、（上述の第２の係合部材に類似して）ツールの上部におけるリセスとして実現されることができる。
【００３１】
好ましくは、第３の係合部材は第１の係合部材より小さく設計され、第４の係合部材は第２の係合部材より小さく設計される。こうして、第１の係合部材（第１のガイド・ピン）は、第２の係合部材（第１のリセス）とだけ係合することができ、第３の係合部材（第２のガイド・ピン）は、第４の係合部材（第２のリセス）とだけ係合することができる。言い換えると、ツールの基底部に構成される２つの異なるサイズのガイドピンと、ツールの上部における２つの異なるサイズのリセスとを提供することにより、ツールの２つの部分は、唯一の位置において結合されることができる。これは、一種のポカヨケを実現する。ツールの上部及び基底部の誤った結合が防止される。
【００３２】
更に追加的な実施形態によれば、駆動ピンの駆動領域は、凹形状を持つ。トランスデューサハウジングの蓋の接触領域は、対応する凸形状を持つ。トランスデューサの蓋の接触領域の斯かる凸面又は丸い形状は、蓋が、本書に記載される特別なツールを用いてのみ開けられることができることを確実にする。凸面又は丸い接触領域は、トランスデューサの蓋を手で、又は、従来のツールを用いて開ける及び／又は閉じるための十分大きなターゲット表面を提供しない。本書に記載されるツールにより提供される対応する凹形状の駆動ピンだけが、蓋を開ける及び／又は閉じるために用いられることができる。
【００３３】
更なる好ましい実施形態によれば、ツールの上部は、１つ駆動ピンを有するだけでなく、２つの駆動ピンを有することもできる。第１の駆動ピンは、軸方向周りで基底部に対して上部が回転運動するとき、トランスデューサハウジングの差し込みピンマウントを開けるための第１の駆動領域を持ち、第２の駆動ピンは、反対方向の回転運動に応じて、トランスデューサハウジングの差し込みピンマウントを閉じるための第２の駆動領域を持つ。第１の駆動ピン及び第２の駆動ピンは好ましくは、ツールの上部の対向側に構成される。第１の駆動ピンの第１の駆動領域は好ましくは、第２の駆動ピンの第２の駆動領域と反対方向において面する。ユーザが、トランスデューサハウジングの蓋を開けるのではなく閉めたい場合、ユーザは、ツールの上部をちょうど１８０°反転させ、それをさかさまに使用しなければならない。これは必須の特徴ではない点に留意されたい。第２の駆動ピンは、変形例において、ツールの上部の第１の駆動ピンと同じ側に構成されることもできる。
【図面の簡単な説明】
【００３４】
【図１】本発明の実施形態によるトランスデューサハウジングの分解表示を示す図である。
【図２】図１に示されるトランスデューサハウジングの上面表示を示す図である。
【図３】図１に示されるトランスデューサハウジングにおいて構成される差し込みピンマウントの異なる位置を概略的に示す図である。
【図４Ａ】閉位置にあるトランスデューサハウジングの概略的な表示を示す図である。
【図４Ｂ】開位置にあるトランスデューサハウジングの概略的な表示を示す図である。
【図５Ａ】本発明によるツールの実施形態を斜視表示で示す図である。
【図５Ｂ】本発明によるツールの実施形態を上面表示で示す図である。
【図６Ａ】第２の位置にある本発明によるツールを斜視表示で示す図である。
【図６Ｂ】第２の位置にある本発明によるツールを上面表示で示す図である。
【図７Ａ】第３の位置にある本発明によるツールを斜視表示で示す図である。
【図７Ｂ】第３の位置にある本発明によるツールを上面表示で示す図である。
【図８】第４の位置にある本発明によるツールの更なる斜視表示を示す図である。
【図９】第５の位置にある本発明によるツールの更に追加的な斜視表示を示す図である。
【図１０】ツールの基底部の斜視表示を示す図である。
【発明を実施するための形態】
【００３５】
本発明のこれらの及び他の態様が、以下に説明される実施形態より明らとなり、これらの実施形態を参照して説明されることになる。
【００３６】
図１及び図２は、本発明によるツール１０で開閉されることができるトランスデューサハウジング２０の原理設計を示す。ツール１０は、図５〜図９を参照して更に説明される。読者のより良好な理解のため、ツール１０で開閉されることができるトランスデューサハウジング２０の原理設計が、最初に説明される。
【００３７】
図１に示されるように、トランスデューサハウジング２０は、２つの収容部分、ベース本体２２及び蓋２４を有する。ベース本体２２及び蓋２４は、トランスデューサハウジング２０内部におけるカプセル化されたボリュームを提供するため、トランスデューサハウジング２０の２つのハーフシェルを形成する。実際において、産科的超音波検査法デバイス又は電子胎児監視装置（ＥＦＭ）の複数のトランスデューサ、センサ及び周辺電子デバイスが、このカプセル化されたボリュームに構成される。
【００３８】
図３Ａ及び図３Ｂにおいて詳細に示される回転継手２６が、ベース本体２２と蓋２４を接続する接続手段として使用される。この回転継手は、本書に示される実施形態によれば、差し込みピンマウント２６として実現される。この差し込みピンマウント２６は、蓋２４の下部側に構成される複数のアンダーカット２８及びベース本体２２の円周内壁３２に構成される複数の対応する差し込みピン突出部３０を有する。
【００３９】
図３Ａにおいて矢印３４により概略的に示されるように、蓋２４は、トランスデューサハウジング２０のベース本体２２に対して蓋２４を時計回りに回転させることにより、ベース本体２２に結合されることができる。この回転のとき、アンダーカット２８は、蓋２４及びベース本体２２の間の機械的に固定されるが、解放可能な接続を形成するよう、差し込みピン突出部３０と係合する。図３Ｂは、差し込みピンマウント２６の閉位置を示す。
【００４０】
差し込みピンマウント２６は、図示された例と比較して反転されることもできる点を理解されたい。差し込みピン突出部３０が、蓋２４に構成され、アンダーカット部材２８が、ベース本体２２の内壁３２に構成されることもできる。同様に、アンダーカット部材２８の配列を逆にすることも可能である。その結果、差し込みピンマウント２６は、ベース本体２２に対して蓋２４を反時計回りに回転運動することで閉じられ、ベース本体２２に対して蓋２４を時計回りに回転運動することで開けられることができる。
【００４１】
ある実施形態によれば、アンダーカット２８及び差し込みピン突出部３０は、非対称的に構成されることができる。これは、差し込みピン突出部３０の間の距離が（わずかに）異なることができることを意味する。従って、蓋２４は、唯一の正しい位置においてベース本体２２に付けられることができる。これは、トランスデューサハウジング２０のベース本体２２にユーザが蓋２４を正しく付けることを支援するポカヨケ特徴として機能する。
【００４２】
図１に示されるように、トランスデューサハウジングのベース本体は好ましくは、実質的に円筒状形状を持つ。これに伴い、蓋２４は、平面図（図２を参照）において、実質的に円形形状を持つ。しかしながら、ベース本体２２の部分及び蓋２４の部分はそれぞれ、上記実質的に円筒状又は実質的に円形形状とは異なる。ベース本体２２及び蓋２４のこれらの部分は、図１及び図２において、参照符号３６及び３８で示される。
【００４３】
ベース本体２２の部分３６は、ベース本体２２の円筒状メイン部分の一種の突起として実現される。上記突起３６は、ツール１０の対応する接触面に接触し、ツール１０においてベース本体２２の回転運動を防止するカウンター支持部として使用されることができる２つのプラナ接触面４０を有する。
【００４４】
同様に、蓋２４の一方の側に構成される突起３８は、その横方向の側に２つの接触領域４２を有する。これらの接触領域４２は、差し込みピンマウント２６を開ける又は閉じるため、トランスデューサハウジング２０のベース本体２２に対して蓋２４を回転させる力を蓋２４にかけるため、ツール１０の駆動ピンにより接触されることができる。差し込みピンマウント２６がツール１０でどのように開けられるかの詳細な原理が、図５〜図９を参照して以下詳細に説明される。
【００４５】
蓋２４の上記の接触領域４２は好ましくは、丸い凸面形状を持つ。これは必須の特徴ではないが、斯かる丸い凸面形状は、蓋２４が、手で、又は、従来のツールを使用することにより回転されることができることを防止する。差し込みピンマウント２６を開けるために蓋２４を手で容易に回転させるために用いられることができる手段又はレバーが、蓋２４に一体化されることはない。差し込みピンマウント２６は更に、十分に気密である。その結果、手では蓋２４へ充分な運動量を及ぼすことができない。従って、蓋２４は、ツール１０を用いてのみ開けられることができる。これは特に、医療デバイスが任意の未許可の人により開けられることができないと規定する医学分野における強い規則が原因で確実にされる。
【００４６】
図４は再度、トランスデューサハウジング２０の個別の図を示し、図４Ａは、その閉位置にある蓋２４を示し、図４Ｂは、その開位置にある蓋２４を示す。図３Ｂに示される差し込みピンマウント２６の位置が、（図４Ａに示される）蓋２４の閉位置に対応し、図３Ａに示される差し込みピンマウント２６の開位置は、（図４Ｂに示される）蓋２４の開位置に対応することは明らかである。図４から、トランスデューサハウジング２０が、複数のコネクタ４４を有することができることが更に分かる。これらのコネクタ４４は、異なる技術的な機能を持つことができる。例えば、電源が、トランスデューサに接続されることができる。他方、これらのコネクタは、得られた超音波トランスデューサ信号を送信するため、基地局への接続として機能することができる。トランスデューサハウジング２０内部のトランスデューサが、無線接続を介して、又は、有線接続を介して斯かる基地局に接続されることができる点に留意されたい。
【００４７】
以下、本発明によるツール１０の詳細が与えられる。図５Ａに示されるように、ツール１０は、基底部１２及び上部１４を有する。基底部１２は、トランスデューサハウジング２０を受けるよう構成されるボウルの形を持つ。上記ボウルの形状は、トランスデューサハウジング２０のベース本体２２の形状に対して適合されるので、ツール１０の基底部１２は、軸方向１６の周りでツール１０におけるトランスデューサハウジング２０のベース本体２２の回転を防止する。この形状フィットは、半径方向１８に沿ってツール１０の基底部１２におけるトランスデューサハウジング２０のベース本体２２の相対的な運動も防止する。
【００４８】
図１０は、ツール１０の基底部１２の拡大図を示す。基底部１２が内壁４８を有し、この内壁は、トランスデューサハウジング２０のベース本体２２の外壁５０に対して適合されることが分かる（図１参照）。この内壁４８は好ましくは、円筒状にカーブする表面領域５２を持つ。しかしながら、上記内壁４８の部分は、円筒状形状から逸脱して、プラナ接触面５４を有する。この接触面は、（円周方向４６に沿って）軸方向１６の周りでツール１０の基底部１２に対するトランスデューサハウジング２０のベース本体２２の回転を防止するよう、トランスデューサハウジング２０の接触面４０と接触するよう構成される。
【００４９】
基底部１２は更に、ガイドピン、即ち第１のガイドピン５６及び第２のガイドピン５８（例えば図５Ｂを参照）を有する。第１及び第２のガイドピン５６、５８は、第１の係合部材５６及び第３の係合部材５８とも表される。サイズに基づき、ただ１つの係合部材５６、５８で充分な点に留意されたい。しかしながら、少なくとも２つの斯かる係合部材５６、５８を提供することが好ましい。
【００５０】
ツールの上部１４とツールの基底部１２を結合するため、２つのガイドピン５６、５８が用いられる。上部１４は、２つのリセス、即ち第１のリセス６０及び第２のリセス６２（例えば図５Ｂを参照）を有する。これらの第１及び第２のリセス６０、６２は、第２の係合部材６０及び第４の係合部材６２とも表される。
【００５１】
図５Ｂに示されるように、第１のガイドピン５６は、第１のリセス６０と係合し、第２のガイドピン５８は、第２のリセス６２と係合する。ガイドピン５６、５８及びリセス６０、６２は、異なる大きさにされる。これは、必須の機能ではないが、それは、基底部１２へユーザが上部１４を正しく付けることを容易にする。なぜなら、誤った取付けが防止されるからである。より大きなガイドピン５６（第１の係合部材）は、より大きいリセス６０（第２の係合部材）とだけ係合することができ、より小さいガイドピン５８（第３の係合部材）は、より小さいリセス６２（第４の係合部材）とだけ係合することができる。
【００５２】
一方では、ガイドピン５６、５８及びリセス６０、６２の間の係合は、基底部１２に対する上部１４の回転に関する誘導として機能し、他方では、トランスデューサハウジング２０の蓋２４を開ける及び／又は閉じる間、軸方向１６に沿った基底部１２に対する上部１４の運動を防止する。
【００５３】
トランスデューサハウジング２０の差し込みピンマウント２６を開けるため、ツールの上部１４は、（円周方向４６に沿って）軸方向１６周りでツールの基底部１２に対して単に回転される。この回転運動のとき、ツールの上部１４に構成される駆動ピン６４が、トランスデューサハウジング２０の蓋２４と接触し、（ツールの上部１４の回転運動と同期して）蓋２４が同様に回転することをもたらす。トランスデューサハウジング２０のベース本体２２が、ツールの基底部１２において固定されるので、蓋２４のこの回転運動は、差し込みピンマウント２６を開ける。
【００５４】
駆動ピン６４は、蓋２４の接触領域４２とフィットする形を確立するよう構成される。この形状フィットを確立するため、駆動ピン６４は好ましくは、（蓋２４の接触領域４２の凸形状に対応する；図２参照）凹形状を持つ駆動領域６６を有する。
【００５５】
図５〜図７は、トランスデューサハウジング２０の蓋２４を開ける間のツール１０の技術的な原理を示す、時間における後続点での異なるスナップショットを示す。図５Ａ及び図５Ｂは、ツールの上部１４がツールの基底部１２に付けられた後の初期位置を示す。この位置において、駆動ピン６４は、蓋２４と接触しない（図５Ａを参照）。
【００５６】
図５Ｂに見られることができるように、より大きなガイドピン５６はこの状況において、リセス６０の挿入部分６０'に構成され、より小さいガイドピン５８は、リセス６２の挿入部分６２'に構成される。両方のリセス６０、６２は、形状がＬに類似し、より大きい挿入部６０'、６２'及びより小さい（より狭い）断面６０"、６２"を有する。これらは、ロッキング部６０"、６２"として本書において表される。ガイドピン５６、５８が、リセス６０、６２の挿入部６０'、６２'において構成される場合、ツールの上部１４は、ツールの基底部１２に対して軸方向１６において自由に移動することがまだできる。（軸方向１６の周りで上部１４が回転されるとき）ガイドピン５６、５８が、リセス６０、６２のロッキング部６０"、６２"に導かれるとすぐ、ガイドピン５６、５８は、ツールの上部１４を固定し、軸方向１６において基底部１２に対する上部１４の運動を防止する。この場合、ツールの軸方向１６が、トランスデューサハウジング２０の軸方向と共に落下する点に留意されたい。
【００５７】
図５Ａ及び図５Ｂに示される初期位置において、駆動ピン６４は、蓋２４と接触しない。２つのガイドピン５６、５８は、挿入部６０'、６２'において構成される（図５Ｂを参照）。ツールの上部１４がその後軸方向１６周りで反時計回りに回転される場合、駆動ピン６４は、蓋２４と接触する（図６Ａを参照）。この場合、駆動ピン６４の駆動領域６６と蓋２４の接触領域４２との間の形状フィットが確立される。この状況において、軸方向１６に沿ったツールの上部１４の相対的な運動は、ガイドピン５６、５８及びリセス６０、６２の間の係合を通り防止される（図６Ｂを参照）。
【００５８】
図６Ｂにおいて見られることができるように、ガイドピン５６、５８はその後、リセス６０、６２のロッキング部６０"、６２"において構成される。駆動ピン６４に対するロッキング部６０"、６２"の構成は、軸方向１６周りでツールの上部１４が回転運動する間、駆動ピン６４の駆動領域６６が蓋２４の接触領域４２に接触する前に、基底部１２のガイドピン５６、５８がロッキング部６０"、６２"に達するよう、選ばれる。言い換えると、駆動ピン６４がトランスデューサハウジング２０の蓋２４に達する前に、上部１４は軸方向１６において固定される。駆動ピン６４は従って、蓋２４上へ円周方向４６において力を及ぼすだけでなく、蓋２４上へ軸方向１６においても押圧される。これは、駆動ピン６４が、トランスデューサハウジング２０の蓋２４にわたり、それを開けることなしに簡単にはスリップしないことを確実にする。
【００５９】
図７は、ツールの上部１４が、軸方向１６周りで完全に回された状況を示す。蓋２４（差し込みピン・マウント２６）はその後開かれ、２つのガイドピン５６、５８は、リセス６０、６２のロッキング部６０"、６２"において完全に構成される。開けられたトランスデューサハウジング２０を取り出すには、ツールの上部１４が、（時計回りの態様において）戻すように回されなければならない。その結果、上部１４が、ツールの基底部１２から切り離されることができ、トランスデューサハウジング２０は手動で取り外されることができる。
【００６０】
要約すると、ユーザは、単にトランスデューサハウジング２０をツールの基底部１２に入れて、ツールの上部１４をこれに付け、基底部１２に対して上部１４を回すだけでよい。トランスデューサハウジング２０の差し込みピンマウント２６が開かれるとすぐ、上部１４は、戻すように回され、基底部１２から切り離されることができる。開けられたトランスデューサハウジング２０は、手動で取り外されることができる。
【００６１】
トランスデューサハウジング２０の差し込みピンマウント２６を閉じることは、同じツール１０を用いてかなり似た態様で実行されることができる。ツールの上部１４は、さかさまにだけ回される必要がある。言い換えると、ツールの上部１４は、反転されなければならない。この状況は、図８及び図９に示される。
【００６２】
図５〜図７に示される状況を参照し、ツールの上部１４は、図８及び図９においてさかさまに回される。第２の駆動ピン６４'は、（矢印４６'で示されるように）時計回りの態様においてツールの上部１４が回転運動されるとき、トランスデューサハウジング２０の蓋２４を閉じるため用いられる。第２の駆動ピン６４'は、上部１４の反対側に構成され、第１の駆動ピン６４の反対側の方向において面する。これは、蓋２４を開けるのに使用される。第２の駆動ピン６４'は、第１の駆動ピン６４の第１の駆動領域６６の反対側の方向において面する第２の駆動領域６６'を有する。第２の駆動ピン６４'（そして、第１の駆動ピン６４でない）がトランスデューサハウジング２０の方へ下に向く点、ツールの上部１４が（反時計回りでなく）時計回りに回転される点を除き、蓋２４を閉じることは従って、蓋を開けることとほぼ同じである。
【００６３】
最終的に、ツール１０ももちろん逆の態様で構築されることもできる点に留意されたい。その結果、ツールの上部１４の時計回りの運動は、蓋２４が開くことをもたらし、ツールの上部１４の反対の反時計回りの運動は、蓋２４が閉じることをもたらす。
【００６４】
本発明が図面及び前述の説明において詳細に図示され及び説明されたが、斯かる図示及び説明は、説明的又は例示的であると考えられ、本発明を限定するものではない。本発明は、開示された実施形態に限定されるものではない。図面、開示及び添付された請求項の研究から、開示された実施形態に対する他の変形が、請求項に記載の本発明を実施する当業者により理解され、実行されることができる。
【００６５】
請求項において、単語「有する」は他の要素又はステップを除外するものではなく、不定冠詞「ａ」又は「ａｎ」は複数性を除外するものではない。単一の要素又は他のユニットが、請求項に記載される複数のアイテムの機能を満たすことができる。特定の手段が相互に異なる従属項に記載されるという単なる事実は、これらの手段の組み合わせが有利に使用されることができないことを意味するものではない。
【００６６】
請求項における任意の参照符号は、発明の範囲を限定するものとして解釈されるべきではない。
【図１】
2015532139.tif 000003
【図２】
2015532139.tif 000004
【図３Ａ】
2015532139.tif 000005
【図３Ｂ】
2015532139.tif 000006
【図４Ａ】
2015532139.tif 000007
【図４Ｂ】
2015532139.tif 000008
【図５Ａ】
2015532139.tif 000009
【図５Ｂ】
2015532139.tif 000010
【図６Ａ】
2015532139.tif 000011
【図６Ｂ】
2015532139.tif 000012
【図７Ａ】
2015532139.tif 000013
【図７Ｂ】
2015532139.tif 000014
【図８】
2015532139.tif 000015
【図９】
2015532139.tif 000016
【図１０】
2015532139.tif 000017
【国際調査報告】
2015532139.tif 000018
2015532139.tif 000019
2015532139.tif 000020
2015532139.tif 000021